(57)【要約】      （修正有）【課題】数ページ毎に整理してメニューを提供することができる他に、誰もが容易にラミネーターでメニューを製作でき、最適なデザインでしかも好みに応じた料理をまとめたメニューにすることができる飲食メニュー用ラミネートシートを提供する。【解決手段】ベース兼用表示ラミネートシート体２と、ベース兼用表示ラミネートシート体上に折り曲げ部２ａを挟んで配置してある第１及び第２の表示ラミネートシート体３Ａ、３Ｂとを備え、折り曲げ部はベース兼用表示ラミネートシート体に形成され、各表示ラミネートシート体はベース兼用表示ラミネートシート体の長さ方向に並設され、一端辺がベース兼用表示ラミネートシート体にそれぞれ溶着されて溶着部１Ａ、１Ｂを形成し、各表示ラミネートシート体は各溶着部を通じてベース兼用表示ラミネートシート体に接続されている。【選択図】図１
0003226550.tif 000002
【実用新案登録請求の範囲】
【請求項１】
透明なベース兼用表示ラミネートシート体及びこのベース兼用表示ラミネートシート体上に長さ方向に沿って配置してある透明な第１及び第２の表示ラミネートシート体を備えており、
上記ベース兼用表示ラミネートシート体は上記折り曲げ部をその長さ方向と交差する方向に形成してあり、
上記折り曲げ部は上記ベース兼用表示ラミネートシート体を均等に二つ折り可能な位置にあり、
上記第１及び第２の表示ラミネートシート体は上記折り曲げ部を挟んで上記ベース兼用表示ラミネートシート体の長さ方向に並設されており、
第１の表示ラミネートシート体であってその長さ方向の一端辺と、上記ベース兼用表示ラミネートシート体であってその長さ方向の一端辺とが溶着部を通じて溶着関係にあり、
第２の表示ラミネートシート体であってその長さ方向の一端辺と、上記ベース兼用表示ラミネートシート体とが上記折り曲げ部であって上記第２の表示ラミネートシート体側の側部に沿う溶着部を通じて溶着関係にあり、
第１及び第２の表示ラミネートシート体の各他端辺は自由端である
ことを特徴とする飲食メニュー用ラミネートシート。
【請求項２】
第１及び第２の表示ラミネートシート体は同形であり、長さ方向と交差する方向の幅はベース兼用表示ラミネートシート体の幅と同一であり、第１の表示ラミネートシート体の他端辺は上記折り曲げ部であって第１の表示ラミネートシート体側に沿う側部に対応し、第２の表示ラミネートシート体の他端辺は上記ベース兼用表示ラミネートシート体の他端辺に対応していることを特徴とする請求項１記載の飲食メニュー用ラミネートシート。
【請求項３】
折り曲げ部はベース兼用表示ラミネートシート体の長さ方向の幅が、第１の表示ラミネートシート体の他端辺と第２の表示ラミネートシート体の一端辺との間隔に対応していることを特徴とする請求項１又は請求項２記載の飲食メニュー用ラミネートシート。
【考案の詳細な説明】
【技術分野】
【０００１】
この考案はレストランや飲食店などに利用される飲食メニュー用ラミネートシートに関する。
【背景技術】
【０００２】
大衆的なレストランや飲食店ではお客に対して特定の飲食物を注文してもらうためにラミネート加工された飲食メニューが提供されることが多い。この飲食メニューは、上下両シートの間に多種の料理名が印刷されたメニュー用紙を差し入れてラミネート加工により、すなわちラミネーターによって上下両シートを加熱しながらプレスしてメニュー用紙と共に一体化したものや、一枚のシートを二つ折りし折り曲げたシートの間にメニュー用紙を差し入れてラミネーターによってシートとメニュー用紙とを一体化したものが提案されている（特開平７−１２９０８６号公報参照）。
【先行技術文献】
【特許文献】
【０００３】
【特許文献１】特開平７−１２９０８６号公報
【考案の概要】
【考案が解決しようとする課題】
【０００４】
ラミネートシートは容易にラミネーターにより飲食メニューができ、そして飲食メニューはラミネート加工されているために防水性が期待できる。
このような利点を生かしつつ、さらに飲食メニュー用ラミネートシートによってより良い飲食メニューの提案が望ましい。
本発明の目的は、利点の多い飲食メニュー用ラミネートシートを提供することにある。
【課題を解決するための手段】
【０００５】
この考案における第１の特徴は、透明なベース兼用表示ラミネートシート体及びこのベース兼用表示ラミネートシート体上に長さ方向に沿って配置してある透明な第１及び第２の表示ラミネートシート体を備えていることにある。上記ベース兼用表示ラミネートシート体は上記折り曲げ部をその長さ方向と交差する方向に形成し、上記折り曲げ部が上記ベース兼用表示ラミネートシート体を均等に二つ折り可能な位置にある。上記第１及び第２の表示ラミネートシート体は上記折り曲げ部を挟んで上記ベース兼用表示ラミネートシート体の長さ方向に並設されている。第１の表示ラミネートシート体であってその長さ方向の一端辺と、上記ベース兼用表示ラミネートシート体であってその長さ方向の一端辺とが溶着部を通じて溶着関係にあり、第２の表示ラミネートシート体であってその長さ方向の一端辺と、上記ベース兼用表示ラミネートシート体とが上記折り曲げ部であって上記第２の表示ラミネートシート体側の側部に沿う溶着部を通じて溶着関係にある。第１及び第２の表示ラミネートシート体の各他端辺は自由端である。
この考案における第２の特徴は、第１の特徴を前提とし、第１及び第２の表示ラミネートシート体は同形であり、長さ方向と交差する方向の幅はベース兼用表示ラミネートシート体の幅と同一であり、第１の表示ラミネートシート体の他端辺は上記折り曲げ部であって第１の表示ラミネートシート体側に沿う側部に対応し、第２の表示ラミネートシート体の他端辺は上記ベース兼用表示ラミネートシート体の他端辺に対応していることにある。
この考案における第３の特徴は、第１又は第２の特徴を前提とし、折り曲げ部はベース兼用表示ラミネートシート体の長さ方向の幅が、第１の表示ラミネートシート体の他端辺と第２の表示ラミネートシート体の一端辺との間隔に対応していることにある。
【考案の効果】
【０００６】
この考案によれば、利点の多い飲食メニュー用ラミネートシートを提供することができ、例えば数ページ毎に整理してメニューを提供することができる他に、専門性を必要とすることなく誰もが容易にラミネーターでメニューを製作でき、さらに最適なデザインでしかも好みに応じた料理をまとめたメニューにすることができる。
【図面の簡単な説明】
【０００７】
【図１】この考案に係る飲食メニュー用ラミネートシートを示す正面図である。
【図２】図１におけるＩＩ−ＩＩ線断面図であって、第１及び第２の表示ラミネートシート体を傾斜状態に持ち上げた図である。
【図３】この考案に係る飲食メニュー用ラミネートシートにおけるベース兼用表示ラミネートシート体、第１及び第２の表示ラミネートシート体並びにベース兼用表示ラミネートシート体と第１及び第２の表示ラミネートシートとの間にそれぞれ差し入れるメニュー用紙との関係を説明するための図である。
【図４】この考案に係る飲食メニュー用ラミネートシートにメニュー用紙を納めた状態を示す一部切欠正面図である。
【図５】この考案に係る飲食メニュー用ラミネートシートをこのシート内にメニュー用紙を納めた状態でラミネーターに挿入する直前の過程を示す縮小正面図である。
【図６】この考案に係る飲食メニュー用ラミネートシートをラミネート加工して仕上げた飲食メニューを示す一部切欠正面図である。
【考案を実施するための形態】
【０００８】
この考案に係る飲食メニュー用ラミネートシートについて図面に基づいて説明する。
図１において、この考案の実施形態を示す飲食メニュー用ラミネートシート１は、透明なベース兼用表示ラミネートシート体２と、このベース兼用表示ラミネートシート体上に長さ方向（図左右方向）に沿って配置してある第１及び第２の表示ラミネートシート体３Ａ，３Ｂとを備えている。
【０００９】
図１〜図３において、ベース兼用表示ラミネートシート体２には折り曲げ部２ａをその長さ方向と交差する方向に形成してある。折り曲げ部２ａは、ベース兼用表示ラミネートシート体２を均等に二つ折り可能な位置にある。
また、第１及び第２の表示ラミネートシート体３Ａ，３Ｂは折り曲げ部２ａを挟んでベース兼用表示ラミネートシート体２の長さ方向に並設されている。
第１の表示ラミネートシート体３Ａは、その長さ方向の一端辺（図１左端辺）がベース兼用表示ラミネートシート体２であってその長さ方向の一端辺と溶着部１Ａを通じて溶着関係にある。また、第２の表示ラミネートシート体３Ｂは、その長さ方向の一端辺（図１左端辺）と、ベース兼用表示ラミネートシート体２とが折り曲げ部２ａの第２の表示ラミネートシート体側の側部に沿う溶着部１Ｂを通じて溶着関係にある。図示例ではベース兼用表示ラミネートシート体２並びに第１及び第２の表示ラミネートシート体３Ａ，３Ｂはいずれも同一幅であるため、第１の表示ラミネートシート体の一端辺とベース兼用表示ラミネートシート体２の一端辺とは対応しており、第１の表示ラミネートシート体は溶着部１Ａを通じてベース兼用表示ラミネートシート体に接続されている。そして、第２の表示ラミネートシート体３Ｂの他端辺は折り曲げ部２ａの側部に沿って全長に亘って対応しており、第２の表示ラミネートシート体は溶着部１Ｂを通じてベース兼用表示ラミネートシート体２に接続されている。
第１及び第２の表示ラミネートシート体３Ａ，３Ｂは、他端辺（図１右端辺）が自由端となっている。このため、各表示ラミネートシート体３Ａ，３Ｂの他端辺を摘まんで、一端辺を基点としてこれらの表示ラミネートシート体を持ち上げると、図２に示すようにベース兼用表示ラミネートシート体２と傾斜状態にある各表示ラミネートシート体との間に隙間４が開けられる。これらの隙間４内に、図２右側からメニュー用紙Ｐ１，Ｐ２を差し入れることができる。メニュー用紙Ｐ１，Ｐ２は片面又は両面が多種の料理名が印刷されている。
【００１０】
次に、飲食メニュー用ラミネートシート１のラミネート加工による飲食メニューＭの製法について、図１、図２、図４〜図６を参照して説明する。
図１に示す飲食メニュー用ラミネートシート１上の第１及び第２の表示ラミネートシート体３Ａ，３Ｂの他端辺（右端辺）を摘まんで、図２に示すように一端辺を基点としてこれらの表示ラミネートシート体を持ち上げると、各表示ラミネートシート体とベース兼用表示ラミネートシート体２との間に隙間４ができるので、これらの隙間内に図２右側からメニュー用紙Ｐ１，Ｐ２を差し入れ、メニュー用紙の先端部が溶着部１Ａ，１Ｂに達するまで矢印方向に押し込む。そして、メニュー用紙Ｐ１，Ｐ２をベース兼用表示ラミネートシート体２及び各表示ラミネートシート体３Ａ，３Ｂに対して図４に示す定位置に納める。その後、メニュー用紙Ｐ１，Ｐ２を差し入れた飲食メニュー用ラミネートシート１を先端側である図５左側から矢印方向に向けてラミネーターＬ内に挿入してラミネート加工をする。
ラミネート加工を終えると、図６に示すように二つ折り可能な飲食メニューＭが製造される。飲食メニューＭにおいて、図６左方のメニュー用紙Ｐ１はその外周の溶着部１Ａ，１Ａ１，１Ａ２，１Ａ３を通じて第１の表示ラミネートシート体３Ａとベース兼用表示ラミネートシート体２の左半分の面とにより固定的に保持され、同図右方のメニュー用紙Ｐ２はその外周の溶着部１Ｂ，１Ｂ１，１Ｂ２，１Ｂ３を通じて第２の表示ラミネートシート体３Ｂとベース兼用表示ラミネートシート体の右半分の面とにより固定的に保持される。この結果、ベース兼用表示ラミネートシート体２、各表示ラミネートシート体３Ａ，３Ｂ及びメニュー用紙Ｐ１，Ｐ２が全体として一体化され、二つ折り可能な飲食メニューＭが完成される。
【００１１】
飲食メニューＭの利用法として、飲食メニューを複数枚製作し、これらの飲食メニューを折り曲げ部２ａを中心として重ね合わせ、重合している折り曲げ部の上方又は上下両方から綴じ込み用のフックを掛け止めれば、飲食メニューブックが形成される。
飲食メニューブックの不使用時には折り曲げ部２ａを中心として飲食メニューブックを二つ折りにして収納しておく。
【００１２】
ベース兼用表示ラミネートシート体２並びに第１及び第２の表示ラミネートシート体３Ａ，３Ｂの幅を同一にすることや第１及び第２の表示ラミネートシート体を同形にすることを要しないが、同一及び同形にすれば飲食メニュー用ラミネートシート１の加工がし易くなり、その外観がすっきりする利点がある。
【符号の説明】
【００１３】
１                                飲食メニュー用ラミネートシート
１Ａ，１Ａ１，１Ａ２，１Ａ３      溶着部
１Ｂ，１Ｂ１，１Ｂ２，１Ｂ３      溶着部
２                                ベース兼用表示ラミネートシート体
２ａ                              折り曲げ部
３Ａ                              第１の表示ラミネートシート体
３Ｂ                              第２の表示ラミネートシート体
４                                隙間
Ｐ１，Ｐ２                        メニュー用紙
Ｌ                                ラミネーター
Ｍ                                飲食メニュー
【図１】
0003226550.tif 000003
【図２】
0003226550.tif 000004
【図３】
0003226550.tif 000005
【図４】
0003226550.tif 000006
【図５】
0003226550.tif 000007
【図６】
0003226550.tif 000008
【手続補正書】
【提出日】令和2年3月26日(2020.3.26)
【手続補正１】
【補正対象書類名】実用新案登録請求の範囲
【補正対象項目名】全文
【補正方法】変更
【補正の内容】
【実用新案登録請求の範囲】
【請求項１】
透明なベース兼用表示ラミネートシート体及びこのベース兼用表示ラミネートシート体上に長さ方向に沿って配置してある透明な第１及び第２の表示ラミネートシート体を備えており、
上記ベース兼用表示ラミネートシート体は折り曲げ部をその長さ方向と交差する方向に形成してあり、
上記折り曲げ部は上記ベース兼用表示ラミネートシート体を均等に二つ折り可能な位置にあり、
上記第１及び第２の表示ラミネートシート体は上記折り曲げ部を挟んで上記ベース兼用表示ラミネートシート体の長さ方向に並設されており、
第１の表示ラミネートシート体の長さ方向の一端辺と、上記ベース兼用表示ラミネートシート体の長さ方向の一端辺とが溶着部を通じて溶着関係にあり、
第２の表示ラミネートシート体の長さ方向の一端辺と、上記ベース兼用表示ラミネートシート体とがベース兼用表示ラミネートシート体に形成してある折り曲げ部の側部に沿う溶着部を通じて溶着関係にあり、
第１及び第２の表示ラミネートシート体の各他端辺は自由端である
ことを特徴とする飲食メニュー用ラミネートシート。
【請求項２】
第１及び第２の表示ラミネートシート体は同形であり、長さ方向と交差する方向の幅はベース兼用表示ラミネートシート体の幅と同一であり、第１の表示ラミネートシート体の他端辺は上記折り曲げ部の側部に対応し、第２の表示ラミネートシート体の他端辺は上記ベース兼用表示ラミネートシート体の他端辺に対応していることを特徴とする請求項１記載の飲食メニュー用ラミネートシート。
【請求項３】
折り曲げ部はベース兼用表示ラミネートシート体の長さ方向の幅が、第１の表示ラミネートシート体の他端辺と第２の表示ラミネートシート体の一端辺との間隔に対応していることを特徴とする請求項１又は請求項２記載の飲食メニュー用ラミネートシート。
【手続補正２】
【補正対象書類名】明細書
【補正対象項目名】０００５
【補正方法】変更
【補正の内容】
【０００５】
この考案における第１の特徴は、透明なベース兼用表示ラミネートシート体及びこのベース兼用表示ラミネートシート体上に長さ方向に沿って配置してある透明な第１及び第２の表示ラミネートシート体を備えていることにある。上記ベース兼用表示ラミネートシート体は折り曲げ部をその長さ方向と交差する方向に形成し、上記折り曲げ部が上記ベース兼用表示ラミネートシート体を均等に二つ折り可能な位置にある。上記第１及び第２の表示ラミネートシート体は上記折り曲げ部を挟んで上記ベース兼用表示ラミネートシート体の長さ方向に並設されている。第１の表示ラミネートシート体の長さ方向の一端辺と、上記ベース兼用表示ラミネートシート体の長さ方向の一端辺とが溶着部を通じて溶着関係にあり、第２の表示ラミネートシート体の長さ方向の一端辺と、上記ベース兼用表示ラミネートシート体とがベース兼用表示ラミネートシート体に形成してある折り曲げ部の側部に沿う溶着部を通じて溶着関係にある。第１及び第２の表示ラミネートシート体の各他端辺は自由端である。
この考案における第２の特徴は、第１の特徴を前提とし、第１及び第２の表示ラミネートシート体は同形であり、長さ方向と交差する方向の幅はベース兼用表示ラミネートシート体の幅と同一であり、第１の表示ラミネートシート体の他端辺は上記折り曲げ部の側部に対応し、第２の表示ラミネートシート体の他端辺は上記ベース兼用表示ラミネートシート体の他端辺に対応していることにある。
この考案における第３の特徴は、第１又は第２の特徴を前提とし、折り曲げ部はベース兼用表示ラミネートシート体の長さ方向の幅が、第１の表示ラミネートシート体の他端辺と第２の表示ラミネートシート体の一端辺との間隔に対応していることにある。